(57)【特許請求の範囲】
【請求項１】
容器と、この容器を対象物に取着するためのホルダーとの組み合わせであり、この組み合わせは、
底部と、この底部に接続された側壁とを有し、これら底部と側壁で内部領域を規定しており、前記底部は、前記側壁に接続され内部領域方向に凹となった第１のセクションと、前記容器の中心長軸に沿うチャンネルを規定する第２のセクションとを有し、この第２セクションは、前記内部領域中に延出し、前記側壁とほぼ平行である、容器と、
前記対象物に取着されるように適合される対象物への装着のための基部と、この基部に接続されたブリッジ部と、このブリッジ部から延出し、前記第２のセクションと係合するように適合された固定ポストとを有するホルダーとを具備し、
前記基部は、対象物を押圧する第１の面と、この第１の面と対向し、前記側壁の少なくとも一部と接触するような形状に形成された第２の面とを有する、組み合わせ。
【請求項２】
前記容器は、流体を収容するように構成並びに配設されている請求項１の組み合わせ。
【請求項３】
前記固定ポストは、弾性材で形成されている請求項１の組み合わせ。
【請求項４】
前記ブリッジ部は、可撓性材料で形成されている請求項３の組み合わせ。
【請求項５】
前記固定ポストは、前記基部方向に弾性的に付勢される請求項３の組み合わせ。
【請求項６】
前記容器は、絞られたときに液体を吐出するようになった絞りボトルである請求項１の組み合わせ。
【請求項７】
前記容器は、熱可塑性ポリマーで形成されている請求項１の組み合わせ。
【請求項８】
前記第１のセクションは、漏斗の形状を有するように形成されており、また、前記第２のセクションは、前記内部領域内に深く位置する漏斗の部分から内部領域中に延出している請求項１の組み合わせ。
【請求項９】
前記漏斗は、前記内部領域に向かうのに従ってサイズが減少する円形断面を有する請求項８の組み合わせ。
【請求項１０】
前記容器は、中に配置された開口を備えたカバー部材をさらに有する請求項１の組み合わせ。
【請求項１１】
前記第２のセクションは、前記側壁とほぼ平行な壁を備えた円筒形状である請求項１の組み合わせ。
【請求項１２】
複数の補強翼が前記チャンネルと底部との間に延びており、これら翼は、前記容器と一体的である請求項１の組み合わせ。
【請求項１３】
前記中心長軸と側壁との間の距離は、前記固定ポストの軸中心と前記基部の第２の面との間の距離にほぼ等しい請求項１の組み合わせ。
【請求項１４】
前記固定ポストは、２重の板ばねポストとして形成され、これらばねは容器を固定ポストにロックする請求項１の組み合わせ。
【請求項１５】
前記固定ポストは、２重の板ばねを備えたスナップ結合部を有し、また、前記チャンネルは、このスナップ結合部と係合するロック部を有する請求項１の組み合わせ。
【請求項１６】
前記容器は、これの下方の外周の周りに配置された溝を有し、また、前記ホルダーは、容器がホルダーに配置されるときに前記溝と相互作用する、基部からの突出部を有する請求項１の組み合わせ。
【請求項１７】
前記固定ポストは、これを貫通するトンネルを有し、このトンネル内には、ポストを容器に装着するようにボールとばねとの機構が配置されている請求項１の組み合わせ。
【請求項１８】
容器と、この容器を対象物に取着するためのホルダーとの組み合わせであり、この組み合わせは、
底部と、この底部に接続された側壁とを有し、これら底部と側壁で内部領域を規定しており、前記底部は、前記側壁に接続され内部領域方向に凹となった第１のセクションと、前記容器の中心長軸に沿うチャンネルを規定する第２のセクションとを有し、この第２のセクションは、前記内部領域中に延出し、前記側壁とほぼ平行である、容器と、
前記対象物に取着されるように適合される対象物への装着のための基部と、この基部に接続されたブリッジ部と、このブリッジ部から延出し、前記第２のセクションと係合するように適合された固定ポストとを有するホルダーとを具備し、
ロック領域が前記第２のセクションに形成されており、また、前記固定ポストは、前記ロック領域と係合するスナップ装置を有する、組み合わせ。
【請求項１９】
前記容器は、流体を収容するように構成並びに配設されている請求項１８の組み合わせ。
【請求項２０】
前記スナップ装置は、前記ロック領域と係合する２重の板ばねを有する請求項１８の組み合わせ。
【請求項２１】
前記スナップ装置は、前記ロック領域と係合するボールとばねとの機構を有する請求項１８の組み合わせ。
【請求項２２】
装着部材を介して対象物に装着されるように構成並びに配設された容器であり、
内部領域を規定する、底部と、この底部に接続された側壁とを具備し、
前記底部は、第１のセクションと第２のセクションとを有し、第１のセクションは、前記側壁に連続した壁を有し、内部領域方向に凹となるように底部に形成されており、
前記第２のセクションは、容器の長軸に沿って形成され、前記内部領域中に全体が延出するように第１のセクションに一体的に接続されており、
前記第２のセクションは、第１のセクションの壁と連続した壁により規定されており、この第２のセクションの壁は前記側壁に全てがほぼ平行であり、
前記第２のセクションは、前記装着部材と共同関係をなすように構成並びに配設されたロック領域を有する、容器。
【請求項２３】
前記容器は、熱可塑性ポリマーで形成されている請求項２２の容器。
【請求項２４】
前記底部とは反対側で側壁に接続された上部をさらに具備し、この上部は、容器から流体を吐出可能な通路を備えている請求項２２の容器。
【請求項２５】
前記ロック領域は、前記長軸に沿う方向の容器の移動を阻止するように前記装着部材と係合する手段を有する請求項２２の容器。
【請求項２６】
前記長軸を含む面での前記ロック領域の断面形状は、長軸に関して２つの互いに面する湾曲部を有する請求項２２の容器。
【請求項２７】
中心長軸を有する対称容器と装着体との組み合せであり、
前記容器は、この容器の底部として形成された凹形状案内構造体と、この底部と連続した側壁構造体と、前記底部に結合され、前記装着体と共同するチャンネル部材とを有し、このチャンネル部材は、前記側壁手段とほぼ平行となるように形成されており、
前記装着体は、前記容器が、前記長軸に沿う方向の容器の移動を阻止するように前記装着体に固定係合され得るように、前記チャンネル部材と共同するように構成並びに配設された固定構造体を有する、組み合せ。
【請求項２８】
前記容器が、流体を収容するように構成並びに配設されている請求項２７の組み合せ。
【請求項２９】
前記チャンネル部材は、ロック領域を有し、前記長軸を含む面でのこのロック領域の断面形状は、中心長軸に関して凹の２つの互いに面する湾曲部を有する請求項２７の組み合せ。
【請求項３０】
対称容器と装着体との組み合せであり、
前記容器は、中心長軸と、この容器の底部として形成された凹形状案内構造体と、この底部と連続した側壁構造体と、前記底部に結合され、前記中心長軸に沿って延び、前記装着体と共同するチャンネル部材とを有し、このチャンネル部材は、前記側壁手段とほぼ平行となるように形成されており、
前記装着体は、２輪自転車のフレームに前記装着体を結合するための手段を有し、また、この装着体は、前記容器が、自転車の操作者が容器もしくは装着体に目を向ける必要がなく、装着体に自己案内的に装着され得るように、前記チャンネル部材と共同するように構成並びに配設された固定構造体を有する、組み合せ。
【請求項３１】
前記容器が、流体を収容するように構成並びに配設されている請求項３０の組み合せ。
【請求項３２】
前記装着体と容器とは、前記長軸に沿う方向の容器の移動を阻止するように前記装着部材と固定係合し得るように構成並びに配設されている請求項３０の組み合せ。
【発明の詳細な説明】
発明の背景
本発明は、流体収容容器、並びに対象物に容器を装着するための装置に関する。また、特に、本発明は、自転車のような対象物と使用するために着脱可能なボトル並びにその装着体に係わる。
関連技術
長い距離自転車に乗る者は、走行している間に受ける風による蒸発現象や物理的動力の結果としての疲労や脱水症状を防ぐために一定の間隔での水和が必要である。長年に渡って、水和を達成するための最も効果的な方法として、水、ジュース、もしくは種々の飲料流体のいずれかが満たされ、着脱可能なプラスチックもしくは他の材料で形成されたボトルが装着され得る１もしくは複数の装着装置のフレームにしっかりと装着されることである。搭乗者が必要になったときに、ボトルは装着体から引き抜かれ。また飲料が終わると、ボトルは装着体へと戻される。これの全ては、自転車を乗りながら好ましくは果たされる。
１９４０年、もしくは多分これ以前から、水のボトルを自転車に支持させるのに使用された装着装置、即ち“カーゴ”は、中にボトルが弾性的に適合されるように湾曲並びに成型され、軽く、標準の固体金属で形成されたバスケット形式の装置である。より最近の技術においては、かごは、モールド成型されたポリマー材から製造されている。しかし、形状、化粧用の外観、並びに材質の限り無い変更にもかかわらず、かごの機能は、数十年間に渡って変化されていない。これが、本発明が意図とするかごとボトルとの間の関係である。
ほぼ許容できる動作上の歴史にもかかわらず、標準のかごとボトルとのシステムは、使用には度々不便であり搭乗者の安全に並びに／もしくは競技のシナリオの場合には搭乗者の一定の速度に衝撃を与えるとき、限られた時間でこの特徴を示すであろう、その機能における基本的な流れを有する。この流れのための基本は、いかなるボトルも、これが中に適合されなければならない如何なるボトルと正確にほとんど同じサイズになるであろうという事実に基づいている。換言すれば、ボトルとかごとの間の物理的な関係は、キーとロックとの関係に非常に似ている。ボトルを再装填するときに、かごの開口に対してボトルを正確に配置させなくても許容範囲はほとんどない。自転車に乗るための物理的な活動環境において、これは、一般的な不都合と同様に不確かな安全性を与える。即ち、搭乗者は、ボトルからの飲料の後にかごへボトルを再装填するために、前の道路から目を逸らさなければならない。明らかに、これは搭乗者にとって危険であり、瞬間的に、注意が道路に向けられなくなる。
搭乗している間の安全性の余裕を持続する上での搭乗者の最も切迫した応答性は、直接の周囲への高い視的注意を維持することである。既存のかごとボトルとのデザインは、かごに対してボトルを正確に位置付けるためにボトルを再装填するときに、初心者であろうとも熟練者であろうとも搭乗者は、かごを見下すことが度々必要となる。このように搭乗者の注意が道路から逸れる数秒が、事故ならびにこれに伴う怪我の切掛けとなる。搭乗者がかなりの注意をし続けなければならない代表的な状況の一般的な例は、破損したアスファルトの突出した凸凹の舗装道路のエッジに沿って走行する場合と、車類の交通に接近して走行する場合と、幼児安全席を自転車に装着して幼児と共に走行する場合と、急激な勾配並びに高さの変化を伴う、凸凹の地形、緩んだ岩泥、並びに下ばえの環境での道路から外れた状況で走行する場合と、半ダース以上の競走者が、自転車間の距離がたった数インチのもとで一列に並んで、４５マイル／時以上の速度で走行する競技（“ｐａｃｅ  ｌｉｎｅ”）での送行の場合と、を含む。また、安全性の問題に加えて、既存のボトルとかごとのデザインの不都合により生じる潜在的な悪化は、乗っていないときの搭乗者による興味を減じさせる。
また、装着体を接続するあり継ぎされるアタッチメントを備えた水ボトルを提供することが知られている。このような設備は、あり継ぎ挿入体がこれのための収容部とアラインメントされるように、搭乗者が水ボトルを指向させなければならない。従って、このようなデザインは、搭乗者が下を見て、道路もしくはトラックから注意が逸れるので、事故に対する潜在性を誘起する。
ボトルを自転車のフレームに固定するための水ボトルと装着体との関する他のデザインは、ボトルの側壁と装着体の面との両方に設けられたＶＥＬＣＲＯの使用を含む。ボトルを装着体にアラインメントさせることにより、ボトルはＶＥＬＣＲＯによりその位置に保持される。しかし、このボトルと装着体とは、上述したかご装置と同じ問題を有する。即ち、ボトルが装着体に取着されるようにボトルのＶＥＬＣＲＯが装着体のＶＥＬＣＲＯとアラインメントされていることを確かめるために搭乗者は見下さなければならない。これは、ＶＥＬＣＲＯの２つのセクションが一致しない場合には、ボトルは装着体に取着されていないからである。また、このボトルと装着体とは、ボトルが装着体にしっかりと固定されていることを確かめるために、搭乗者は道路から注意を逸らさなければならない。
自転車のための他のデザインの水ボトルは、装着構造体から突出したポストに装着する水滴形状のボトルの使用である。このボトルは両側が平らであり、ボトルと装着体との間の注意深いアラインメントを必要する。ボトルは円形の断面ではないために、ボトルが再装填されるときに装着体に対してボトルを使用者が指向させなければならない。
上述した既知のデザインは、いずれも搭乗者が自転車を運転しているときに、搭乗者は装着体にボトルを容易に再装填させることが不可能である。全ての既知のデザインは、搭乗者が道路からの注意を逸らせてしまうボトルの指向を搭乗者がしなければならない。注意を逸らす必要がなくて、搭乗者により容易に再装填することができるボトルが望まれている。
発明の概要
かくして、本発明の目的は、再装填の間に搭乗者が道路から注意を逸らす必要がなく、自転車のフレームに容易に取着するように適合された飲料用容器と、流体容器の再装填を可能にするための装置とを提供することである。
本発明の目的は、第１並びに第２のセクションを備えた凹形状の底部を有する水ボトルと、この第２のセクションと係合するように適合された固定ポストを有する装着構造体とを具備する本発明により達成される。前記第２のセクションは、ボトルが固定ポストにしっかりと取着するスナップ場所を有し得る。前記装着構造体は、自転車のフレーム、もしくは、ゴルフバックの引張りカート、ベッド、自動車の内部等の他の対象物に着脱可能に取着され得る。装着構造体に結合された流体収容部材は、搭乗者が道路から注意を逸らす必要がなく、容易に再装填可能である。
好ましい実施の形態においては、流体容器の側壁部は、ほぼ円筒形状をしており、また、底部は、漏斗形状の円錐形、即ち、底は流体容器の中心長軸を中心とした凹所である。また、この底部は、これが常に凹形状であれば、トランペットもしくはベル形状でも良い。前記装着部材は、これに取着された固定ポストの僅かの弾性変位を好ましくは可能とするブリッジ部材を有する。この固定ポストは、ボトルの中心長軸上にほぼ配置されているが、ポストの前端は、基部方向に僅かに角度付けられていることが好ましい。ブリッジ部材により付与される弾性変位と関連して、この角度付けられた形態により、ボトルは、基部と固定ポストとの間で強固に挟持され得る。
【図面の簡単な説明】
本発明の他の目的、態様、並びに特徴は、関連した部品の機能並びに動作の方法と共に、全てが本願の一部をなす添付請求の範囲並びに図面と関連して以下の詳細な説明の調べからより明確になるであろう。尚、図において、同じ参照符号は同じ部材を示す。
図１は、自転車のフレームに装着された本発明の流体容器とホルダーとの組み合わせの好ましい実施の形態の側面図である。
図２は、図１の２−２線に沿う断面図である。
図３は、流体容器を所定箇所にしっかりと保持させるための異なる方法を使用する固定ポストの断面図である。
図４は、流体容器をホルダーに保持させるための２重の板ばね構造を使用した固定ポストの第３の例を示す平面図である。
図５は、スナップ結合領域でのみの２重の板ばねデザインを利用するスナップ結合領域の他の例を示す。
図６は、流体保持部材がホルダーに取着される他の例を示す。
現在好ましい実施の形態の詳細な説明
図１並びに２には、流体容器と、これのためのホルダーとの例が示されている。本発明に係わる図示された組み合わせは、ボトル１０とホルダー１１とを有し、ホルダー１１は自転車のフレーム３５に装着されている。
前記ボトル１０は、ポリエチレン、ポリエステル、アクリロニトリール系ポリマー、ポリエステル並びに成分が水中に出ない等価のポリマーのような熱可塑性ポリマーにより好ましくは形成されている。適したポリマーは、食物との使用に安全であるとして認められ、またアウトドアの天候ファクターに対して耐久性があることが証明されている。ボトルの製造は、モールドもしくは他の熱成型方法により好ましくはなされる。また、ボトルは、金属、例えば、アルミのような熱可塑性ポリマー以外の材料で形成されることもできる。しかし、ボトルはくぼみのような損傷を受けやすく、装着体、即ち、ホルダー１１の固定ポスト３０へのしっかりとした結合能力を最終的には失い易い。
ボトルは、上部１２と、底部１３と側壁部１４とを有し、これら部分は一体となって内部領域１５を規定している。開口１６と相互スナップ結合する歯付きキャップ１７とは、上部１２に配置されている。しかし、他の実施の形態においては、他の等価のデザインの閉塞手段が利用され得る。一般的に、閉塞手段は、一方の手で自転車を操作し、他方の手でボトルを掴んで、歯を使用して搭乗者がボトルを開けることができるように、迅速かつ容易に取り扱い可能に綯っている。
前記側壁部１４は、好ましくは、中心の長軸１８を中心とするほぼ円筒形状である。ある実施の形態においては、側壁面での長手方向もしくは周方向の凹所、または、これらの組み合わせ、または、不連続もしくは不規則性（図示せず）が、搭乗者が掴むのを容易にするために存在し得る。また、製造を容易にするために、側壁部１４は、モールドから容易に抜けるようにするために僅かにテーパが形成され得る。また、この側壁部は、弾性特性を有するような厚さに好ましくは形成されている。この結果、液体収容物が開口１６から吐出するように絞ることにより圧縮され得る。
前記底部１３は、内部領域１５に向かって内方に凹んだ第１のセクションを有する。第１の実施の形態において、この第１のセクションの凹所は、軸１８を中心とした漏斗状のトランペット形の面１９の形態である。他の等価の実施の形態においては、第１のセクションの凹所は、ベル形状もしくは円錐形状で良い。この凹形状の第１のセクションの一般的な特徴は、軸１８と直交する面の断面形状が円形であり、円形の直径が底部１３から内部領域１５に向かうのに従って除々に小さくなることである。軸１８を含む面での、例的なトランペット形状の第１のセクションの断面形状は、２つの収束する曲線２０の凸で軸１８に実質的に接近しているように示される。ベル形状並びに円錐形の面の場合、比較できる断面形状は収束する曲線もしくは直線を夫々示す。
底部１３は、ボトル１０の他の部分とは別に形成され、側壁部１４に接着剤もしくは他の方法で取着され得る。
また、底部１３は、第１のセクションの最内側部から一体的な突出部として延長された細長いチャンネル部材２１として形成された第２のセクションを有する。この細長いチャンネル部材２１は凹所形状の第１のセクションの中心から内部領域１５内で軸に沿って延長するように形成され、閉じた先端部２３で終端している。この先端部は、上部と底部との間の距離の約３０％ないし７０％の所に好ましくは位置されている。即ち、底部１３と一緒にチャンネル部材２１は、ボトル１０の高さの半分にほぼ等しい組み合わせ長さとを有する。例示されたチャンネル部材２１の内部は、ほぼ円筒形状をしている。代って、チャンネル部材２１の形状は、上部１２に向かうのに従って軸１８方向へと内方に向かうような円錐形状のテーパが形成され得る。環状に広がったロック領域２４がチャンネル部材２１に形成されている。軸１８を含む面でのロック領域の断面形状は、軸１８に対して凹の２つの対面した曲線として示される。このロック領域は、底部１３に連続した関係で配置されているように示されているけれども、チャンネル部材２１のいずれかに配置されていても良い。複数の補強翼３６がチャンネル部材２１とボトル１０の内面との間で延びている。これら翼はボトルと一体的であり、ボトルを形成するモールド工程の間に形成される。また、これら翼３６は、チャンネル部材２１を支持する助けをなす。これら翼３６は、図１に示すようにチャンネル部材２１を全長に渡って接続しても、これの一部のみを接続しても良い。チャンネル部材２１の側壁を厚くて、翼をなくすことによっても同様に支持を増すことができる。また、翼と、チャンネルの側壁の厚さを増すことの両方を使用することもできる。
前記ホルダー１１は、ナイロン、ポリエステル、モシクハガラスやグラファイトノファイバーを利用したプラスチック／ファイバー複合物のようなエンジニアリング・グレイド・プラスチックで形成された単一構造体が好ましい。また、ホルダーは金属でも形成され得るが、重量と取り扱いの容易性の両方からプラスチックの方が好ましい。ホルダー１１は、鋳造金属もしくは合金で形成され得るか、別々の金属片で形成され得る。ホルダー１１はセラミックから形成されることも可能である。このホルダーは、前端２６と後端２７との間で延びた細長く真直ぐな基部２５を有する。この基部は、フレーム３５もしくはボトルが装着される対象物と接触するような形状の第１の面２８により取着される。また第１の面と対向して第２の面２９が形成されている。この対向した第２の面２９は、ボトル１０がこれに沿って円滑に滑るような形状を好ましくは有する。即ち、側壁部１４の形状が、図２に示すように対向した面２９の形状と相補的にされ得る。固定ポスト３０は、これの先端３１と、ブリッジ部３４と結合した基端３２との間で延びている。この固定ポスト３０は、前記チャンネル部材２１に比較的しっかりした適合で挿入係合するような形状であり、また、チャンネル部材２１のロック領域２４と係合するような位置並びに形状の環状に広がったスナップ領域３３をさらに有する。
前記ブリッジ部３４は、固定ポスト３０の基端３２と基部２５との間の結合部で延びており、基部２５と固定ポスト３０とをほぼ平行した共面位置関係にもたらし、ホルダー１１のほぼＪもしくはＵ字形状の外形を生じさせ、そして、ポスト３０が基部２５方向に弾性的に付勢されるようにしている。基部２５の第２の面２９と固定ポスト３０との間の間隔は、軸１８に直交する方向から見て、軸１８と側壁部１４との間の間隔と実質的に等しい。従って、ポスト３０がチャンネル部材２１中に挿入されるようにしてボトル１０がホルダー１１と係合するようにされるときに、側壁部１４は基部２５の第２の面２９により摺接して固定される。
前記基部２５の第１の面２８は、自転車のフレーム、もしくは、ゴルフバックの引張りカート、ベッド、自動車の内部等の他の対象物に着脱可能に取着されるように適合される。この取着は、クランプ、ボルト、締結具、接着剤、フックとループのファスナー材により達成され得る。
上記好ましい実施の形態の作用において、搭乗者は、単なる引き操作によりボトルをホルダーから取り外すことができる。そして、このホルダーは、漏斗状の底部が固定ポスト３０に対して大きな目標領域となり、さらにポスト３０をチャンネル部材２１中に案内するので、ホルダーに容易に戻される。図１の第１の実施の形態において、ボトルを後方に付勢するように僅かに押すことにより、ポスト３０のスナップ領域、即ち、スナップ装置３３は、チャンネル部材のロック領域２４と係合するようにスナップ結合する。この効果は、ポストの引張り作用と共同して、側壁部１４を基部２５に強く接触させて、ホルダー１１にボトル１０を固定させる。
図３は、本発明に係る固定ポスト３０の第２の例を示す。この例では、固定ポスト３０は、これを貫通したトンネルもしくは孔１０４を有する。スナップ装置は、ボールとばね装置とを含み得る。金属ボール１００相互は、ばね機構１０２により結合されている。このばね機構は、ボールを固定ポスト３０の面より外方に突出して位置させているがポストの一部として含まれている。ボトル１０が固定ポスト３０に沿って摺動されると、ボール１００は、チャンネル部材２１が固定ポスト３０の上の位置に移動されるのに従って、ばね１０２を押す。そして、ボール１００がロック位置に達すると、ばね１０２はボール１００を外方に付勢し、かくして、ボトル１０は固定ポスト３０に固定される。
図４は、固定ポスト３０の他の可能な例を示す。この例において、固定ポストは、この固定ポストの長さ方向に沿って延びた２重の板ばね機構として形成されている。ばね３０ａ，３０ｂの凹面３０ｃ，３０ｄは、互いに対面しており、また、ばね３０ａ，３０ｂの凸面は、ボトル１０内に形成されたチャンネル部材２１の壁を押圧するようにデザインされている。チャンネル部材２１は、ばね３０ａ，３０ｂの曲率と一致するように僅かに成形されるか真っ直ぐに形成され得る。
図５は、固定ポスト３０の他の例を示す。この例において、スナップ領域３３のみが２重の板ばねとして形成されており、ロック領域２４と共同してボトル１０を固定ポスト３０に固定させるばね３３ａ，３３ｂを有する。
図６は、ボトル１０が側壁部１４の下端部に形成された溝２００を有する例を示す。この例においては、基部２５の第２の面２９は、基部２５から突出して溝２００にスナップ結合する部材２０２を有する。側壁部１４と第２の面２９との間の摩擦結合と、溝２００中への部材２０２のスナップ結合との組み合わせは、ボトルをホルダー１１に固定する。溝２００は、ボトル１０の外周全体に渡って延びているので、ボトル１０が再装填されるときに、ボトル１０の方向を適切にする必要がない。即ち、溝２００がボトル１０の全周に渡って延びているので、搭乗者は、部材２０２に対して溝２００のアラインメントを間違えることがない。溝２００が側壁部１４に沿う任意の箇所に配置され、部材２０２が第２の面２９の相補的な位置に配置されることも、同様に可能である。
図６の例においては、固定ポスト３０は、ボトル１０のための案内ポストとしてのみ機能し、ポスト３０にボトルをロックしない。ボトル１０をホルダー１１にロックするために、基部２５から突出した部材２０２は、ボトル１０の周囲に形成された溝２００中にスナップ結合する。第２の面２９に側壁部１４を押圧させるポスト３０の引張り作用と溝２００中への部材２０２の適合との組み合わせはボトル１０をホルダー１１にロックする機能を果たす。
代わって、溝は、ロック領域２４ではなく、チャンネル部材２１の内周面に形成され得る。そして、固定ポスト３０は、チャンネル部材２１の内周面のこの溝中に適合する部材を有し得る。溝／部材と、第２の面２９へ側壁部１４を押圧させるように固定ポスト３０により与えられる引張り力とは、ボトル１０をホルダー１１に固定する。
本発明の特別の例が図示され、また説明されたけれど、変更並びに変形が最も広い態様での発明から逸脱しないでなされ得ることは明らかであろう。かくして、添付請求の範囲の目的は、本発明の範囲並びに真の精神に入る全ての変更並びに変形をカバーするようになっている。
【図１】
0003776457.tif 000002
【図２】
0003776457.tif 000003
【図３】
0003776457.tif 000004
【図４】
0003776457.tif 000005
【図５】
0003776457.tif 000006
【図６】
0003776457.tif 000007